(57)【要約】      （修正有）【課題】電力需要家において、複数種類の物品のうちから作業対象物品の種類を、種類毎に定まる消費電力を考慮して決定する。【解決手段】複数種類の物品に対して種類毎に行われる作業夫々において消費される消費電力値を示す第１情報と、前記作業夫々の作業時間を示す第２情報とに基づいて、前記複数種類の物品のうちの前記作業の対象となる作業対象物品の種類を決定するための演算を行い、演算結果に基づいて、前記作業対象物品の種類を決定するための決定支援情報を示す信号を出力する。【選択図】図８
2015219574.tif 000002
【特許請求の範囲】
【請求項１】
複数種類の物品に対して種類毎に行われる作業夫々において消費される消費電力値を示す第１情報と、前記作業夫々の作業時間を示す第２情報とに基づいて、前記複数種類の物品のうちの前記作業の対象となる作業対象物品の種類を決定するための演算を行う演算装置と、
前記演算装置の演算結果に基づいて、前記作業対象物品の種類を決定するための決定支援情報を示す信号を出力する出力装置と、
を備えたことを特徴とする決定支援装置。
【請求項２】
前記演算装置は、前記第１及び第２情報に基づいて、前記作業夫々において消費される消費電力量の値を演算する第１演算装置、を有し、
前記決定支援情報は、前記複数種類を示す情報と、前記消費電力量の値を示す情報と、を有する
ことを特徴とする請求項１に記載の決定支援装置。
【請求項３】
前記演算装置は、前記第１演算装置の演算結果に基づいて、前記消費電力量の値のうちの最大値に対する前記消費電力量の値夫々で特定される消費電力削減率を演算する第２演算装置、を更に有し、
前記決定支援情報は、前記消費電力削減率を示す情報、を更に有する
ことを特徴とする請求項２に記載の決定支援装置。
【請求項４】
前記演算装置は、電気料金の単価を示す情報と、前記第１演算装置の演算結果とに基づいて、前記消費電力量の値に対応する電気料金の額を演算する第２演算装置、を更に有し、
前記決定支援情報は、前記電気料金の額を示す情報、を更に有する
ことを特徴とする請求項２に記載の決定支援装置。
【請求項５】
前記演算装置は、電気料金の単価を示す情報と、前記第１演算装置の演算結果とに基づいて、前記消費電力量の値に対応する電気料金の額を演算する第３演算装置、を更に有し、
前記決定支援情報は、前記電気料金の額を示す情報、を更に有する
ことを特徴とする請求項３に記載の決定支援装置。
【請求項６】
前記演算装置は、単位報酬量を示す情報と、前記第１演算装置の演算結果とに基づいて、前記消費電力量の値に対応する報酬量を演算する第３演算装置、を更に有し、
前記決定支援情報は、前記報酬量を示す情報、を更に有する
ことを特徴とする請求項３に記載の決定支援装置。
【請求項７】
前記演算装置は、前記作業が開始される第１時間を示す情報と、前記第２情報とに基づいて、前記作業が終了する第２時間を演算する第４演算装置、を更に有し、
前記決定支援情報は、前記第２時間を示す情報、を更に有する
ことを特徴とする請求項５又は６に記載の決定支援装置。
【請求項８】
前記出力装置から出力された信号に基づいて、前記決定支援情報が表示される表示装置、を更に備える
ことを特徴とする請求項１に記載の決定支援装置。
【請求項９】
前記演算装置は、前記第１及び第２情報に基づいて、前記作業夫々において消費される消費電力量の値を演算する第１演算装置、を有し、
前記決定支援情報は、前記複数種類夫々を示す情報と前記複数種類夫々に対応する前記消費電力量の値を示す情報とが夫々組み合わせられている複数の組合せを示す一覧表、を有する
ことを特徴とする請求項８に記載の決定支援装置。
【請求項１０】
前記演算装置は、前記第１演算装置の演算結果に基づいて、前記消費電力量の値のうちの最大値に対する前記消費電力量の値夫々で特定される消費電力削減率を演算する第２演算装置、を更に有し、
前記複数の組合せでは、前記複数種類夫々に対応する前記消費電力削減率を示す情報が更に組み合わせられている
ことを特徴とする請求項９に記載の決定支援装置。
【請求項１１】
前記演算装置は、電気料金の単価を示す情報と、前記第１演算装置の演算結果とに基づいて、前記消費電力量の値に対応する電気料金の額を演算する第２演算装置、を更に有し、
前記複数の組合せでは、前記複数種類夫々に対応する前記電気料金の額を示す情報が更に組み合わせられている
ことを特徴とする請求項９に記載の決定支援装置。
【請求項１２】
前記演算装置は、電気料金の単価を示す情報と、前記第１演算装置の演算結果とに基づいて、前記消費電力量の値に対応する電気料金の額を演算する第３演算装置、を更に有し、
前記複数の組合せでは、前記複数種類夫々に対応する前記電気料金の額を示す情報が更に組み合わせられている
ことを特徴とする請求項１０に記載の決定支援装置。
【請求項１３】
前記演算装置は、単位報酬量を示す情報と、前記第１演算装置の演算結果とに基づいて、前記消費電力量の値に対応する報酬量を演算する第３演算装置、を更に有し、
前記複数の組合せでは、記複数種類夫々に対応する前記報酬量を示す情報が更に組み合わせられている
ことを特徴とする請求項１０に記載の決定支援装置。
【請求項１４】
前記演算装置は、前記作業が開始される第１時間を示す情報と、前記第２情報とに基づいて、前記作業が終了する第２時間を演算する第４演算装置、を更に有し、
前記複数の組合せでは、前記複数種類夫々に対応する前記第２時間を示す情報が更に組み合わせられている
ことを特徴とする請求項１２又は１３に記載の決定支援装置。
【請求項１５】
前記一覧表では、前記消費電力量の値の大きさに応じた順序に従って、前記複数の組合せが並べられている
ことを特徴とする請求項９乃至１４の何れかに記載の決定装置。
【請求項１６】
前記一覧表では、前記電気料金の額の大きさに応じた順序に従って、前記複数の組合せが並べられている
ことを特徴とする請求項１１又は１２に記載の決定支援装置。
【請求項１７】
前記演算装置は、前記第１及び第２情報に基づいて、前記作業夫々において消費される消費電力量の値を演算する第１演算装置、を有し、
前記決定支援情報は、前記複数種類のうちの前記消費電力量の値の大きさに応じて定められた所定の種類を示す情報、を有する
ことを特徴とする請求項８に記載の決定支援装置。
【請求項１８】
前記演算装置は、
前記第１及び第２情報に基づいて、前記作業夫々において消費される消費電力量の値を演算する第１演算装置と、
電気料金の単価を示す情報と、前記第１演算装置の演算結果とに基づいて、前記消費電力量の値に対応する電気料金の額を演算する第２演算装置と、を有し、
前記決定支援情報は、前記複数種類のうちの前記電気料金の額の大きさに応じて定められた所定の種類を示す情報、を有する
ことを特徴とする請求項８に記載の決定支援装置。
【請求項１９】
前記電気料金の単価は、一日において変動するように定められており、
前記決定支援情報は、前記一日における前記電気料金の単価が所定単価よりも高くなる時間帯を示す情報、を更に有する
ことを特徴とする請求項４、５、１１、１２、１８の何れかに記載の決定支援装置。
【請求項２０】
前記単位報酬量は、一日において変動するように定められており、
前記決定支援情報は、前記一日における前記単位報酬量が所定量よりも多くなる時間帯を示す情報、を更に有する
ことを特徴とする請求項６又は１３に記載の決定支援装置。
【請求項２１】
前記第１情報が示している前記消費電力値は、前記作業を行うために用いられる作業設備の消費電力値に基づいて定められている
ことを特徴とする請求項１乃至２０の何れかに記載の決定支援装置。
【請求項２２】
複数種類の物品に対して種類毎に行われる作業夫々において消費される消費電力値を示す第１情報と、前記作業夫々の作業時間を示す第２情報とに基づいて、前記複数種類の物品のうちの前記作業の対象となる作業対象物品の種類を決定するための演算を行う第１ステップと、
前記第１ステップの演算結果に基づいて、前記作業対象物品の種類を決定するための決定支援情報を示す信号を出力する第２ステップと、
を含むことを特徴とする決定支援方法。
【請求項２３】
決定支援装置に対して、
複数種類の物品に対して種類毎に行われる作業夫々において消費される消費電力値を示す第１情報と、前記作業夫々の作業時間を示す第２情報とに基づいて、前記複数種類の物品のうちの前記作業の対象となる作業対象物品の種類を決定するための演算を行う第１機能と、
前記第１ステップの演算結果に基づいて、前記作業対象物品の種類を決定するための決定支援情報を示す信号を出力する第２機能と、
を実現させるプログラム。
【発明の詳細な説明】
【技術分野】
【０００１】
本発明は、決定支援装置、決定支援方法、プログラムに関する。
【背景技術】
【０００２】
例えば、需要家の消費電力値に応じて当該需要家に対して電力を供給する電力装置が知られている（特許文献１参照）。又、例えば、エネルギー消費量を平準化するための平準化装置が知られている（特許文献２参照）。
【先行技術文献】
【特許文献】
【０００３】
【特許文献１】特開２００３―１８９４７０号公報
【特許文献２】特開２００２―２９１１５５号公報
【発明の概要】
【発明が解決しようとする課題】
【０００４】
特許文献１の電力装置は、例えば需要家において作業される作業対象物品の種類を決定するための決定支援情報を出力しているわけではない。又、特許文献２の平準化装置も、エネルギー消費量を平準化するために、例えば前述の決定支援情報を出力しているわけではない。よって、電力需要家において、複数種類の物品のうちから作業対象物品の種類を、種類毎に定まる消費電力を考慮して決定するのが困難となることがある。
【課題を解決するための手段】
【０００５】
前述した課題を解決する主たる本発明は、複数種類の物品に対して種類毎に行われる作業夫々において消費される消費電力値を示す第１情報と、前記作業夫々の作業時間を示す第２情報とに基づいて、前記複数種類の物品のうちの前記作業の対象となる作業対象物品の種類を決定するための演算を行う演算装置と、前記演算装置の演算結果に基づいて、前記作業対象物品の種類を決定するための決定支援情報を示す信号を出力する出力装置と、を備えたことを特徴とする決定支援装置である。
【０００６】
本発明の他の特徴については、添付図面及び本明細書の記載により明らかとなる。
【発明の効果】
【０００７】
本発明によれば作業対象物品の種類を決定するのを支援することができる。
【図面の簡単な説明】
【０００８】
【図１】本発明の第１乃至第３実施形態における品目ナビゲーションシステムを示す図である。
【図２】本発明の第１実施形態におけるサーバ装置を示す図である。
【図３】本発明の第１及び第３実施形態におけるサーバ装置の機能を示すブロック図である。
【図４】本発明の第１実施形態における各工程を示す図である。
【図５】本発明の第１実施形態における消費電力と電気料金単価との関係を示す図である。
【図６】本発明の第１実施形態における品目マスタ情報を示す図である。
【図７】本発明の第１実施形態における生産エネルギー工程モデルを示す図である。
【図８】本発明の第１実施形態における第１決定支援情報を示す図である。
【図９】本発明の第１実施形態における第２決定支援情報を示す図である。
【図１０】本発明の第１実施形態における品目ナビゲーションシステムの動作を示すフローチャートである。
【図１１】本発明の第２実施形態における表示情報を示す図である。
【図１２】本発明の第３実施形態における第１決定支援情報を示す図である。
【発明を実施するための形態】
【０００９】
本明細書および添付図面の記載により、少なくとも以下の事項が明らかとなる。
【００１０】
[第１実施形態]
＝＝＝品目ナビゲーションシステム＝＝＝
以下、図１を参照して、本実施形態における品目ナビゲーションシステムについて説明する。図１は、本実施形態における品目ナビゲーションシステムを示す図である。
【００１１】
品目ナビゲーションシステム１００は、例えばクリーニング工場に設けられているシステムである。クリーニング工場は、例えば、病院、ホテル等で用いられる衣類の洗濯、脱水、仕上げを行う工場である。
【００１２】
品目ナビゲーションシステム１００は、サーバ装置３、データベース（「ＤＢ」とも称する）４、クライアント装置５を有する。
【００１３】
サーバ装置３は、クリーニング工場の例えば第３工程Ｋ３（図４）において作業対象とされる作業対象品目を決定するための第１決定支援情報Ｄ１２（図８）及び第２決定支援情報Ｄ１１（図９）を示す支援信号を出力する装置である。尚、作業対象品目とは、作業対象とされる物品（作業対象物品）の種類を示している。サーバ装置３は、ＤＢ４、クライアント装置５との間で通信できるように、例えば通信線Ｌ１によって接続されている。尚、サーバ装置３は、ＤＢ４、クライアント装置５との間で無線通信を行えるように、無線通信ネットワーク（不図示）を介して接続されていることとしてもよい。
【００１４】
ＤＢ４には、品目マスタ情報Ｄ１、料金情報Ｄ２が記憶されている。尚、品目マスタ情報Ｄ１、料金情報Ｄ２については、後述する。
【００１５】
クライアント装置５は、サーバ装置３から送信された支援信号を受信して、支援信号が示している第１決定支援情報Ｄ１２及び第２決定支援情報Ｄ１１に基づく表示情報を表示する表示装置である。クライアント装置５は、例えば、第１工程Ｋ１（図４）が行われる場所に設けられている。尚、例えば、クライアント装置５は、クリーニング工場の作業員によって携行される携行端末であることとしてもよい。この場合、クライアント装置５に表示された表示情報を、第１工程Ｋ１、第２工程Ｋ２、第３工程Ｋ３が行われる場所夫々において確認することが可能となる。
【００１６】
＝＝＝サーバ装置＝＝＝
以下、図２及び図３を参照して、本実施形態におけるサーバ装置について説明する。図２は、本実施形態におけるサーバ装置を示す図である。図３は、本実施形態におけるサーバ装置の機能を示すブロック図である。
【００１７】
サーバ装置３は、ＣＰＵ（Central Processing Unit）３１、通信装置３２（出力装置）、記憶装置３３、表示装置３４、入力装置３５を有する。
【００１８】
ＣＰＵ３１は、記憶装置３３に記憶されているプログラムを実行することにより、サーバ装置３を統括制御し、サーバ装置３の各機能を実現する。記憶装置３３には、プログラムやデータ等が格納されている。通信装置３２は、通信線Ｌ１を介してＤＢ４、クライアント装置５との間で通信を行う。表示装置３４は、サーバ装置３の各種情報を表示するための例えば液晶ディスプレイ装置である。尚、例えば、表示装置３４は、支援信号を受信して第１決定支援情報Ｄ１２及び第２決定支援情報Ｄ１１に基づく表示情報が表示されることとしてもよい。入力装置３５は、サーバ装置３に対してデータを入力するための例えばキーボード、マウス等である。
【００１９】
サーバ装置３（決定支援装置）は、モデル作成部３６、演算部３７（第１演算装置、第２演算装置、第３演算装置、第４演算装置）、決定支援情報作成部３８（「サーバ装置３の各機能」とも称する）を更に有する。サーバ装置３の各機能は、前述したように、記憶装置３３に記憶されているプログラムをＣＰＵ３１が実行することにより実現される。尚、サーバ装置３及びクライアント装置５も、決定支援装置に対応している。
【００２０】
モデル作成部３６は、品目マスタ情報Ｄ１に基づいて、生産エネルギー工程モデルＭ１（図７）を作成する。演算部３７は、第１決定支援情報Ｄ１２を作成するための演算を行う。決定支援情報作成部３８は、演算部３７の演算結果、料金情報Ｄ２に基づいて、第１決定支援情報Ｄ１２及び第２決定支援情報Ｄ１１を作成する。尚、決定支援情報作成部３８によって作成された第１決定支援情報Ｄ１２及び第２決定支援情報Ｄ１１を示す支援信号は、通信装置３２によって出力される。
【００２１】
＝＝＝各工程＝＝＝
以下、図４を参照して、本実施形態における各工程について説明する。図４は、本実施形態における各工程を示す図である。
【００２２】
第１工程Ｋ１、第２工程Ｋ２、第３工程Ｋ３は、クリーニング工場で行われる作業の各工程である。尚、クリーニング工場で作業が行われる作業対象品目の候補が、例えばタオル、ホーフ、シーツ、ガウン、ピローの５種類であることとして説明する。尚、クリーニング工場で作業が行われる作業対象品目の候補は、５種類以外の複数種類であることとしてもよい。
【００２３】
第１工程Ｋ１は、例えば作業対象品目の物品の洗濯が行われる工程である。第１工程Ｋ１では、例えば、第１洗濯設備Ｋ１１、第２洗濯設備Ｋ１２の何れかの設備を用いて、洗濯作業が行われる。第１工程Ｋ１の作業では、第１洗濯設備Ｋ１１又は第２洗濯設備Ｋ１２で電力が消費される。第１工程Ｋ１の作業を行う際の、第１洗濯設備Ｋ１１及び第２洗濯設備Ｋ１２での消費電力の値は夫々、作業対象品目の違いに関わらず、同様な値となることとする。又、第１工程Ｋ１の作業を行う際の作業時間としてのタクトタイムは、作業対象品目の違い、及び、洗濯が行われる際に用いられる設備の違いに関わらず、同様な時間となることとする。
【００２４】
第２工程Ｋ２は、例えば作業対象品目の物品の脱水が行われる工程である。尚、第２工程Ｋ２は、第１工程Ｋ１の後に行われる。第２工程Ｋ２では、例えば、第１脱水設備Ｋ２１、第２脱水設備Ｋ２２の何れかの設備を用いて、脱水作業が行われる。第２工程Ｋ２の作業では、第１脱水設備Ｋ２１又は第２脱水設備Ｋ２２で電力が消費される。第２工程Ｋ２の作業を行う際の、第１脱水設備Ｋ２１及び第２脱水設備Ｋ２２での消費電力の値は夫々、作業対象品目の違いに関わらず、同様な値となることとする。又、第２工程Ｋ２の作業を行う際の作業時間としてのタクトタイムは、作業対象品目の違い、及び、脱水が行われる際に用いられる設備の違いに関わらず、同様な時間となることとする。
【００２５】
第３工程Ｋ３は、例えば作業対象品目の物品の仕上げが行われる工程である。尚、第３工程Ｋ３は、第２工程Ｋ２の後に行われる。物品の仕上げには、物品を乾燥させる作業、及び、例えばアイロン装置を用いて物品のしわをのばして形を整える作業が含まれていることとする。第３工程Ｋ３では、例えば、第１仕上げ設備Ｋ３１、第２仕上げ設備Ｋ３２の何れかの設備を用いて、仕上げ作業が行われる。第３工程Ｋ３の作業では、第１仕上げ設備Ｋ３１又は第２仕上げ設備Ｋ３２で電力が消費される。第３工程Ｋ３の作業を行う際の、第１仕上げ設備Ｋ３１及び第２仕上げ設備Ｋ３２での消費電力の値は夫々、作業対象品目の違いによって、異なる値となる可能性があることとする。又、作業対象品目が同じ場合においても、第１仕上げ設備Ｋ３１及び第２仕上げ設備Ｋ３２での消費電力の値は夫々異なる値となる可能性があることとする。更に、第３工程Ｋ３の作業を行う際の作業時間としてのタクトタイムは、作業対象品目の違い、及び、脱水が行われる際に用いられる設備の違いによって、異なる時間となる可能性があることとする。
【００２６】
例えば、一日におけるＤＰ時間帯（図５）においては、電気料金単価の額が通常時間帯における電気料金単価の額よりも高くなるので、ＤＰ時間帯において消費電力の値が低下するように、第３工程Ｋ３での作業対象品目を決定するのが、クリーニング工場の経済的メリットを向上させる観点において好ましい。
【００２７】
＝＝＝ＤＰ時間帯＝＝＝
以下、図５を参照して、本実施形態におけるＤＰ時間帯について説明する。図５は、本実施形態における消費電力と電気料金単価との関係を示す図である。尚、図５の消費電力は、例えば、品目ナビゲーションシステム１００が設けられているクリーニング工場を含む複数の需要家の消費電力の合計の過去値を示していることとする。
【００２８】
ＤＰ（Dynamic Pricing）時間帯は、例えば、一日における消費電力のピークシフトが行われることを目的として設定されている一日のうちの所定の時間帯である。このＤＰ時間帯の設定は、価格型のＤＲ（Demand Response）に対応している。尚、ＤＲとは、例えば、一日における消費電力のピークシフトを目的として、電力系統においてクリーニング工場を含む需要家に対して電力の消費パターンを変化させることを示している。ＤＰ時間帯の電気料金単価の額は、ＤＰ時間帯以外の通常時間帯の電気料金単価の額よりも高くなるように設定されている。ＤＰ時間帯の電気料金単価の額は、通常時間帯の電気料金単価の額の例えば２倍となるように設定されていることとしてもよいし、通常時間帯の電気料金単価の額の例えば５倍となるように設定されていることとしてもよい。
【００２９】
ＤＰ時間帯は、例えば、時間に対する消費電力の値が極大値となる極点Ｐ１、Ｐ２に基づいて設定されることとしてもよい。この場合、例えば、極点Ｐ１、Ｐ２を含む所定時間がＤＰ時間帯に設定されることとしてもよい。又、例えば、消費電力の値が所定値以上となる時間帯がＤＰ時間帯に設定されることとしてもよい。尚、電気料金単価（円／ｋＷｈ）は、例えば単位消費電力量（１ｋＷｈ）当たりの電力料金の額（円）を示していることとする。
【００３０】
＝＝＝品目マスタ情報、料金情報＝＝＝
以下、図５及び図６を参照して、本実施形態における品目マスタ情報、料金情報について説明する。図６は、本実施形態における品目マスタ情報を示す図である。尚、品目マスタ情報Ｄ１には、ホーフに対応する情報及びガウンに対応する情報が含まれているが、図６においては説明の便宜上、省略されている。
【００３１】
＝品目マスタ情報＝
品目マスタ情報Ｄ１（図６）は、作業対象品目の候補を示す情報として品目名と、各工程と、各工程で用いられる設備と、タクトタイムと、消費電力とが対応付けられている。尚、タクトタイムは、対応する工程における単位投入量当たりの作業時間を示している。又、消費電力は、対応する設備において単位投入量当たりに消費される消費電力を示している。尚、単位投入量とは、各品目に対応する物品が例えば５０（ｋｇ）であることを示している。品目マスタ情報Ｄ１は、過去の実績により定められていることとしてもよいし、設備の仕様に基づくシミュレーションにより定められていることとしてもよい。又、品目マスタ情報Ｄ１は、クリーニング工場の作業計画を行う計画装置（不図示）によってＤＢ４に記憶されることとしてもよいし、サーバ装置３のユーザによってＤＢ４に記憶されることとしてもよい。
【００３２】
例えば、品目マスタ情報Ｄ１においては、作業対象品目としてのタオルについて、第３工程Ｋ３の作業が第１仕上げ設備Ｋ３１を用いて行われた際の作業時間としてのタクトタイム、消費電力等が示されている。
【００３３】
＝料金情報＝
料金情報Ｄ２（図１）は、一日の各時間における電気料金単価を示す情報である。料金情報Ｄ２は、例えば、図５が示している電気料金単価を示す情報であることとしてもよい。料金情報Ｄ２は、前日に電気事業者から送信されてＤＢ４に記憶される。
【００３４】
＝＝＝モデル作成部＝＝＝
以下、図３及び図７を参照して、本実施形態におけるモデル作成部について説明する。図７は、本実施形態における生産エネルギー工程モデルを示す図である。
【００３５】
モデル作成部３６は、前述したように、品目マスタ情報Ｄ１に基づいて、生産エネルギー工程モデルＭ１を作成する。
【００３６】
生産エネルギーモデルＭ１は、品目を示す情報、投入量を示す情報、開始時刻を示す情報、使用設備を示す情報が入力される。生産エネルギーモデルＭ１は、タクトタイム、消費電力をパラメータとして、当該入力された情報に対応する消費電力量を示す情報、終了時刻を示す情報を出力する。尚、生産エネルギーモデルＭ１から出力される消費電力量を示す情報、終了時刻を示す情報は夫々、第３工程Ｋ３での消費電力量、第３工程Ｋ３が終了する終了時刻を示している。
【００３７】
例えば、生産エネルギーモデルＭ１に対して、品目を示す情報としてタオルを示す情報、投入量を示す情報として５０（ｋｇ）を示す情報、開始時刻を示す情報として８時３０分を示す情報、使用設備を示す情報として第１仕上げ設備Ｋ３１を示す情報が入力された場合、消費電力量を示す情報として１．２（ｋＷｈ）を示す情報、終了時刻を示す情報として９時を示す情報が生産エネルギーモデルＭ１から出力される。
【００３８】
＝＝＝演算部＝＝＝
以下、図３及び図８を参照して、本実施形態における演算部について説明する。図８は、本実施形態における第１決定支援情報を示す図である。
【００３９】
演算部３７は、作業対象品目の候補及び第３工程Ｋ３で使用される設備毎に、各演算を行う。尚、各演算とは、第３工程Ｋ３での消費電力量についての演算（「消費電力量の演算」とも称する）、第３工程Ｋ３での削減率（消費電力削減率）についての演算（「削減率の演算」とも称する）、第３工程Ｋ３での電気料金についての演算（「電気料金の演算」とも称する）、第３工程Ｋ３での仕上げ完了時間についての演算（「仕上げ完了時間の演算」とも称する）を示している。
【００４０】
＝消費電力量の演算、仕上げ完了時間の演算＝
演算部３７は、品目を示す情報、投入量を示す情報、開始時刻を示す情報、使用設備を示す情報（「各入力情報」とも称する）を、生産エネルギー工程モデルＭ１に入力する。
【００４１】
具体的には、例えば、演算部３７は、計画情報に基づいて各入力情報を入力する。尚、計画情報には、品目を示す情報、投入量を示す情報、開始時刻を示す情報、使用設備を示す情報が含まれていることとする。例えば、計画情報は、前述の計画装置によって作成され、計画装置からサーバ装置３に送信されることとしてもよい。又、例えば、計画装置は、ユーザによって入力装置３５を介してサーバ装置３に入力されることとしてもよいし、品目マスタ情報Ｄ１の一部としてＤＢ４に記憶されていることとしてもよい。尚、開始時刻を示す情報については、ＤＰ時間帯に第３工程Ｋ３の作業が行われるように設定されていることとする。又、開始時刻を示す情報については、例えば、ＤＰ時間帯に第３工程Ｋ３の作業が行われるように、演算部３７が料金情報Ｄ２に基づいて開始時刻に関する演算を行い、当該演算結果に基づいて演算部３７が入力することとしてもよい。
【００４２】
そして、演算部３７は、生産エネルギー工程モデルＭ１からの出力結果を、演算部３７の演算結果として取得する。
【００４３】
例えば、前述の計画情報において、品目としてタオル、ホーフ、シーツ、ガウン、ピローの５種類が設定されており、各品目に対応する投入量、開始時刻、使用設備が夫々、５０（ｋｇ）、８時３０分、第１仕上げ設備Ｋ３１が設定されている場合（「計画情報が所定の情報とされている場合」とも称する）として説明する。この場合、演算部３７は、計画情報が示している情報を生産エネルギー工程モデルＭ１に入力して、消費電力量の演算、仕上げ完了時間の演算夫々の演算結果を取得する。この場合の演算結果については、例えば、タオル、シーツ、ホーフ、ピロー、ガウン夫々の消費電力量が１．２（ｋＷｈ）、３．４（ｋＷｈ）、５．６（ｋＷｈ）、７．８（ｋＷｈ）、９．０（ｋＷｈ）となり、タオル、シーツ、ホーフ、ピロー、ガウン夫々の仕上げ完了時間を９時、９時２０分、９時２０分、９時４０分、９時４０分となることとする。
【００４４】
＝削減率の演算＝
演算部３７は、消費電力量の演算の演算結果としての、各品目に対応する消費電力量に基づいて、削減率を演算する。
【００４５】
削減率は、第３工程Ｋ３において、作業対象品目を消費電力量が最大となる第１品目から第２品目に変更することにより削減され得る電力量の比率を示している。つまり、削減率は、消費電力量の演算によって演算された各品目に対応する消費電力量の最大値に対する、各品目に対応する消費電力量の比率に基づいて定められる。
【００４６】
例えば、計画情報が所定の情報とされている場合、第１品目はガウンとなる。この場合、第２品目がタオルであるとき、演算部３７は、第１品目の消費電力量である９．０（ｋＷｈ）から第２品目の消費電力量である１．２（ｋＷｈ）を減じた７．８（ｋＷｈ）を除数として、第１品目の消費電力量である９．０（ｋＷｈ）を被除数とした除算の結果に基づく０．８７の百分率（８７（％））を削減率として演算する。演算部３７は、第２品目がタオルであるときと同様にして、第２品目がシーツ、ホーフ、ピロー、ガウンであるとき夫々の削減率を、６２（％）、３８（％）、１３（％）、０（％）と演算する。
【００４７】
＝電気料金の演算＝
演算部３７は、消費電力量の演算の演算結果と料金情報Ｄ２に基づいて、電気料金を演算する。演算部３７は、料金情報Ｄ２が示している電気料金単価と消費電力量の演算の演算結果との乗算結果を、電気料金として演算する。例えば、計画情報が所定の情報とされている場合、演算部３７は、タオル、シーツ、ホーフ、ピロー、ガウン夫々に対応する電気料金を１０（円）、１２（円）、１３（円）、１４（円）、１５（円）と演算することとする。
【００４８】
＝＝＝決定支援情報作成部＝＝＝
以下、図８及び図９を参照して、本実施形態における決定支援情報作成部について説明する。図９は、本実施形態における第２決定支援情報を示す図である。尚、計画情報が所定の情報とされている場合について、説明する。
【００４９】
第１決定支援情報Ｄ１２は、優先順位（優先度）を示す情報、品目を示す情報、消費電力量を示す情報、削減率を示す情報、電気料金を示す情報、仕上げ完了時間を示す情報（「決定支援情報の各情報」とも称する）が、品目毎に組合せられている情報である。つまり、第１決定支援情報Ｄ１２には、決定支援情報の各情報の組合せが品目の数に対応する個数である５個含まれている。
【００５０】
決定支援情報作成部３８は、演算部３７の演算結果に基づいて、第１決定支援情報Ｄ１２を作成する。具体的には、決定支援情報作成部３８は、演算部３７の演算結果に基づいて、第１決定支援情報Ｄ１２に含まれる複数の組合せを作成する。決定支援情報作成部３８は、消費電力量の値の大きさに応じて各組合せに対して優先順位を付する。決定支援情報作成部３８は、例えば、消費電力量の値が小さいほど優先されるように優先順位を付することとする。決定支援情報作成部３８は、各組合せに付された優先順位を示す情報を各組合せに対して更に組み合わせて、第１決定支援情報Ｄ１２を作成する。
【００５１】
決定支援情報作成部３８は、更に、料金情報Ｄ２に基づいて、第２決定支援情報Ｄ１１を作成する。第２決定支援情報Ｄ１１には、一日における各時間帯の電気料金単価の高低を示す情報が含まれている。つまり、第２決定支援情報Ｄ１１においては、各時間帯の電気料金単価が通常時間帯の電気料金単価であるか、通常時間帯の電気料金単価（所定単価）よりも高いＤＰ時間帯の電気料金単価であるかが示されている。第２決定支援情報Ｄ１１には、現在時刻を示す情報が更に含まれている。
【００５２】
＝＝＝クライアント装置の表示＝＝＝
以下、図１、図８及び図９を参照して、本実施形態におけるクライアント装置の表示について説明する。
【００５３】
クライアント装置５は、支援信号が示している第１決定支援情報Ｄ１２及び第２決定支援情報Ｄ１１に基づいて、後述する第１及び第２表示情報を表示する。尚、サーバ装置３の表示装置３４も、クライアント装置５と同様にして第１及び第２表示情報を表示することとする。
【００５４】
＝第１表示情報＝
クライアント装置５は、第１決定支援情報Ｄ１２における複数の組合せを並べ替えた後、並べ替えられた複数の組合せを示す情報を第１表示情報として表示する。具体的には、クライアント装置５は、第１決定支援情報Ｄ１２における複数の組合せのうちの優先度が高い組合せほど、クライアント装置５の画面における上方に表示されるように、複数の組合せを並べ替える。この後、クライアント装置５は、並べ替えられた複数の組合せを示す情報を第１表示情報として表示する。つまり、第１決定支援情報Ｄ１２における複数の組合せの一覧表が第１表示情報として、クライアント装置５に表示されることになる。
【００５５】
尚、例えば、クライアント装置５が、第１決定支援情報Ｄ１２における複数の組合せのうちの優先度が高い組合せほど、クライアント装置５の画面における下方に表示されるように、複数の組合せを並べ替えた後、並べ替えられた複数の組合せを示す情報を第１表示情報として表示することとしてもよい。
【００５６】
＝第２表示情報＝
クライアント装置５は、第２決定支援情報Ｄ１１におけるＤＰ時間帯を示す表示と通常時間帯を示す表示との表示状態を夫々異ならせて、第２表示情報として表示する。つまり、第２表示情報は、一日における電気料金単価が通常時間帯の電気料金単価よりも高くなるＤＰ時間帯を示しており、クライアント装置５に表示されることになる。例えば、クライアント装置５は、図９が示しているように、ＤＰ時間帯を示す第１部分Ｐ１１、第２部分Ｐ１２が他の部分に対して強調されるように、クライアント装置５の画面の表示色を調整することとしてもよい。クライアント装置５は、第２表示情報に含まれる情報として、現在時刻を示す目印Ｐ１３を更に表示する。尚、例えば、クライアント装置５は、第１及び第２表示情報を同一画面に表示することとしてもよいし、互いに異なる別画面に表示することとしてもよい。
【００５７】
＝＝＝品目ナビゲーションシステムの動作＝＝＝
以下、図１０を参照して、本実施形態における品目ナビゲーションシステムの動作について説明する。図１０は、本実施形態における品目ナビゲーションシステムの動作を示すフローチャートである。
【００５８】
品目マスタ情報Ｄ１及び料金情報Ｄ２が、ＤＢ４に記憶（登録）される（Ｓ１、Ｓ２）。サーバ装置３は、ＤＢ４に記憶されている品目マスタ情報Ｄ１に基づいて、生産エネルギー工程モデルＭ１を作成する（Ｓ３）、サーバ装置３は、消費電力量の演算、仕上げ完了時間の演算、電気料金の演算等を行って（Ｓ４）、第１決定支援情報Ｄ１２を作成する。サーバ装置３は、支援信号を送信する。支援信号を受信したクライアント装置５は、第１決定支援情報Ｄ１２が示している優先順位に従って複数の組合せを並び替えて（Ｓ５）、第１表示情報を表示する（Ｓ６）。尚、Ｓ６において、クライアント装置５は、第２表示情報も表示する。
【００５９】
前述したように、サーバ装置３は、品目マスタ情報Ｄ１に基づいて第１決定支援情報Ｄ１２についての演算を行い、支援信号を出力する。尚、品目マスタ情報Ｄ１には、複数品目に対して品目毎に行われる作業夫々において消費される消費電力（消費電力値）を示す情報（第１情報）と、タクトタイムを示す情報（第２情報）とが記憶されている。よって、クリーニング工場において例えば第３工程Ｋ３での作業対象品目を決定するのを、第１決定支援情報Ｄ１２に基づいて支援することができる。
【００６０】
又、サーバ装置３は、品目マスタ情報Ｄ１及び計画情報に基づいて消費電力量の演算を行う。第１決定支援情報Ｄ１２には、品目を示す情報と、消費電力量（消費電力量の値）を示す情報が含まれている。従って、消費電力量に基づいて作業対象品目を決定するのを、支援することができる。例えば、ＤＰ時間帯において消費電力量の値が最少となる品目が作業対象品目に決定された場合、クリーニング工場での電気料金を低減させると共にクリーニング工場での消費電力のピークシフトを行うことが可能となる。
【００６１】
又、サーバ装置３は、消費電力量の演算の演算結果に基づいて、各品目に対応する消費電力量の値のうちの最大値に対する、各品目に対応する消費電力量の値夫々で特定される削減率を演算する。第１決定支援情報Ｄ１２には、削減率を示す情報が含まれている。従って、削減率に基づいて作業対象品目を決定するのを、支援することができる。
【００６２】
又、サーバ装置３は、料金情報Ｄ２と、消費電力量の演算の演算結果とに基づいて、電気料金の演算を行う。第１決定支援情報Ｄ１２には、各品目に対応する電気料金（電気料金の額）を示す情報が含まれている。従って、電気料金に基づいて作業対象品目を決定するのを、支援することができる。例えば、電気料金が低減するように作業対象品目が決定されることにより、クリーニング工場での電気料金を確実に低減させることができる。
【００６３】
又、サーバ装置３は、各品目における第３工程Ｋ３での作業の開始時刻（第１時間）を示す情報、品目マスタ情報Ｄ１及び計画情報に基づいて、各品目における第３工程Ｋ３での作業の終了時刻（第２時間）を演算する。第１決定支援情報Ｄ１２には、第３工程Ｋ３での作業の終了時刻としての仕上げ完了時間を示す情報が含まれている。従って、仕上げ完了時間に基づいて作業対象品目を決定するのを、支援することができる。これらの構成により、例えば、作業対象品目の候補のうちの消費電力量が最少となる品目の作業時間帯がＤＰ時間帯となるように、作業対象品目を決定することが可能となる。従って、クリーニング工場での電気料金を確実に低減させると共にクリーニング工場での消費電力のピークシフトを確実に行うことが可能となる。
【００６４】
又、クライアント装置５には、第１表示情報が表示される。よって、例えばクリーニング工場の作業員に対して第１表示情報を視認させて、作業対象品目を決定するのを支援することができる。
【００６５】
又、第１決定支援情報Ｄ１２における複数の組合せの一覧表が、第１表示情報としてクライアント装置５に表示されている。複数の組合せにおいては、品目を示す情報と消費電力量を示す情報とが組合せられている。従って、作業対象品目の候補夫々の情報を一目で把握することが可能となるために、作業対象品目を決定するのを確実に支援することができる。
【００６６】
又、一覧表の複数の組合せにおいては、削減率を示す情報が含まれている。従って、削減率に基づいて作業対象品目を決定するのを、支援することができる。
【００６７】
又、一覧表の複数の組合せにおいては、電気料金を示す情報が含まれている。従って、電気料金に基づいて作業対象品目を決定するのを、支援することができる。
【００６８】
又、一覧表の複数の組合せにおいては、仕上げ完了時間を示す情報が含まれている。従って、仕上げ完了時間に基づいて作業対象品目を決定するのを、支援することができる。又、作業員が第３工程Ｋ３の終了時刻を把握して、終了時刻まで別の作業を行うことが可能となるので、クリーニング工場の作業効率を向上させることが可能となる。
【００６９】
又、第１表示情報においては、消費電力量の値の大きさに基づく優先度に応じて各組合せが並び替えられている。よって、クリーニング工場の作業員は、クライアント装置５の画面における複数の組合せの表示位置に基づいて、消費電力量の値の大きさに応じた作業対象品目の決定を行うことが可能となる。
【００７０】
又、クライアント装置５には、第２表示情報が表示される。よって、クリーニング工場の作業員は、作業対象品目の候補のうちの消費電力量が最少となる品目の作業時間帯がＤＰ時間帯となるように、作業対象品目を決定することが可能となる。
【００７１】
又、品目マスタ情報Ｄ１の消費電力を示す情報は、例えば第１仕上げ設備Ｋ３１、第２仕上げ設備Ｋ３２夫々の消費電力に基づいて定められている。よって、クリーニング工場の作業員は、第３工程Ｋ３において用いられる設備の消費電力に基づいて作業対象品目を決定することが可能となる。
【００７２】
[第２実施形態]
第２実施形態の品目ナビゲーションシステム１００Ｂは、第１実施形態の品目ナビゲーションシステム１００におけるクライアント装置５をクライアント装置５Ｂに変更したものである。
【００７３】
＝＝＝クライアント装置＝＝＝
以下、図１及び図１１を参照して、本実施形態におけるクライアント装置について説明する。図１１は、本実施形態における表示情報を示す図である。
【００７４】
クライアント装置５Ｂは、第１決定支援情報Ｄ１２における複数の組合せを並べ替えた後、並べ替えられた複数の組合せ夫々に含まれる品目を示す情報を表示情報Ｄ２１として表示する。具体的には、クライアント装置５Ｂは、第１決定支援情報Ｄ１２における複数の組合せのうちの優先度が高い組合せに含まれる品目ほど、クライアント装置５Ｂの画面における上方に表示されるように、複数の組合せを並べ替える。この後、クライアント装置５Ｂは、並べ替えられた複数の組合せ夫々に含まれる品目を示す情報を表示情報Ｄ２１として表示する。
【００７５】
尚、例えば、クライアント装置５Ｂが、第１決定支援情報Ｄ１２における複数の組合せのうちの優先度が高い組合せに含まれる品目ほど、クライアント装置５Ｂの画面における下方に表示されるように、複数の組合せを並べ替えた後、並べ替えられた複数の組合せ夫々に含まれる品目を示す情報を表示情報として表示することとしてもよい。尚、クライアント装置５Ｂが、表示情報Ｄ２１と共に第１実施形態にける第２表示情報を表示することとしてもよい。
【００７６】
[第３実施形態]
第３実施形態の品目ナビゲーションシステム１００Ｃは、第１実施形態の品目ナビゲーションシステム１００におけるサーバ装置３及びクライアント装置５を夫々サーバ装置３Ｃ及びクライアント装置５Ｃに変更したものである。
【００７７】
＝＝＝サーバ装置及びクライアント装置＝＝＝
以下、図３及び図１２を参照して、本実施形態におけるサーバ装置及びクライアント装置について説明する。図１２は、本実施形態における第１決定支援情報を示す図である。
【００７８】
＝サーバ装置＝
サーバ装置３Ｃは、演算部３７Ｃ、決定支援情報作成部３８Ｃを有する。
【００７９】
演算部３７Ｃは、第１実施形態の演算装置３７によって行われる電気料金の演算の代わりにインセンティブポイント（図１２）についての演算を行う。尚、演算部３７Ｃにおけるインセンティブポイントを演算する構成以外の構成は、演算部３７の構成と同様である。
【００８０】
インセンティブは、例えばＤＰ時間帯（図５）において削減された消費電力量の値に応じて、例えばサーバ装置３Ｃが設けられているクリーニング工場等の需要家へ付与される報酬である。そして、このインセンティブの付与は、インセンティブ型のＤＲに対応している。インセンティブポイントは、当該報酬の量を示している。例えば、インセンティブポイントが増大することは、報酬の量が増大することに対応していることとする。
【００８１】
インセンティブは、例えば、ＤＰ時間帯における消費電力量の値が所定値よりも低い場合に付与される。そして、インセンティブポイントは、消費電力量の値と所定値との差分値が増大するにつれて増大することになる。尚、例えば、消費電力量の値と所定値との差分値（「消費電力量の差分値」とも称する）に応じて付与されるインセンティブポイントを演算するための情報は、インセンティブ情報としてＤＢ４に記憶されていることとしてもよい。尚、この場合の所定値とは、ＤＲが実施されなかった場合の通常の消費電力量（ベースライン）のことで、ＤＲが実施されない日としてのＤＲ非適用日における消費電力量の平均として算出することができる。
【００８２】
ここで、前述のインセンティブ情報は、単位報酬量を示す情報であることとしてもよいし、消費電力量の差分値に応じて付与されるインセンティブポイントを示す情報であることとしてもよい。尚、単位報酬量は、消費電力量の差分値の単位量（例えば１ｋＷｈ）当たりに付与されるインセンティブポイントを示している。単位報酬量については、例えば、第１実施形態のＤＰ時間帯（図５）に対応する第１時間帯の単位報酬量が、第１実施形態の通常時間帯に対応する第２時間帯の単位報酬量（所定量）よりも多くなるように設定されている。つまり、単位報酬量は、一日において変動するように定められている。
【００８３】
演算部３７Ｃは、消費電力量の演算の演算結果とインセンティブ情報とに基づいて、各品目に対応するインセンティブポイントを演算する。具体的には、例えば、インセンティブ情報が単位報酬量を示す情報である場合、演算部３７Ｃは、消費電力量の演算の演算結果が示す各品目の消費電力量の値と所定値との差分値と、単位報酬量との乗算結果を、各品目に対応するインセンティブポイントとする。又、例えば、インセンティブ情報が消費電力量の差分値に応じて付与されるインセンティブポイントを示す情報である場合、演算部３７Ｃは、インセンティブ情報における、消費電力量の演算の演算結果が示す各品目の消費電力量の値と所定値との差分値に対応するインセンティブポイントを、各品目に対応するインセンティブポイントとする。
【００８４】
決定支援情報作成部３８Ｃは、演算部３７Ｃの演算結果に基づいて、第１実施形態の決定支援情報作成部３８と同様にして、第１決定支援情報Ｄ３２を作成する。尚、この場合、決定支援情報作成部３８Ｃが、消費電力量の値の大きさに応じて各組合せに対して優先順位を付することとしてもよいし、インセンティブポイントの値の大きさに応じて各組合せに対して優先順位を付することとしてもよい。又、例えば、第１決定支援情報Ｄ３２に対して、単位報酬量を示す情報、第１時間帯を示す情報及び第２時間帯を示す情報のうちの、少なくとも一の情報が更に含まれていることとしてもよい。
【００８５】
この後、サーバ装置３Ｃは、第１決定支援情報Ｄ３２を示す支援情報を出力する。
【００８６】
＝クライアント装置＝
クライアント装置５Ｃは、第１実施形態のクライアント装置５と同様にして、表示情報として第１決定支援情報Ｄ３２を表示する。
【００８７】
尚、上記第１乃至第３実施形態は、本発明の理解を容易にするためのものであり、本発明を限定して解釈するためのものではない。本発明は、その趣旨を逸脱することなく、変更、改良され得るとともに、本発明にはその等価物も含まれる。
【００８８】
第１実施形態では、消費電力量の値の大きさに応じて各組合せに対して決定支援情報作成部３８が優先順位を付することについて説明したが、これに限定されるものではない。例えば、電気料金の額の大きさに応じて各組合せに対して決定支援情報作成部３８が優先順位を付することとしてもよい。この場合、決定支援情報作成部３８は、例えば、電気料金の額が小さいほど優先されるように優先順位を付することとする。更に、クライアント装置５は、この優先順位に基づく優先度に従って第１決定支援情報Ｄ１２の複数の組合せを並べ替えた後、並べ替えられた複数の組合せを示す情報を第１表示情報として表示する。よって、クリーニング工場の作業員は、クライアント装置５の画面における複数の組合せの表示位置に基づいて、電気料金の額の大きさに応じた作業対象品目の決定を行うことが可能となる。
【００８９】
又、第２実施形態では、クライアント装置５Ｂが表示情報Ｄ２１を表示することついて説明したが、これに限定されるものではない。例えば、第１決定支援情報Ｄ１２における消費電力量の値が最小値となっている品目（例えばタオル）を示す情報のみを、クライアント装置５Ｂが表示することとしてもよい。又、例えば、消費電力量の値が最小値となっている品目（例えばタオル）及び最小値の次に小さい値となって品目（例えばシーツ）の２つの品目を示す情報を、クライアント装置５Ｂが表示することとしてもよい。つまり、消費電力量の値の大きさに応じて定められた所定の品目を、クライアント装置５Ｂが表示することとしてもよい。又、例えば、第１決定支援情報Ｄ１２における電気料金の額が最小値となっている品目（例えばタオル）を示す情報のみを、クライアント装置５Ｂが表示することとしてもよい。又、例えば、電気料金の額が最小値となっている品目（例えばタオル）及び最小値の次に小さい値となって品目（例えばシーツ）の２つの品目を示す情報を、クライアント装置５Ｂが表示することとしてもよい。つまり、電気料金の額の大きさに応じて定められた所定の品目を、クライアント装置５Ｂが表示することとしてもよい。これらの場合、クライアント装置５Ｂに表示される情報がシンプルになる。よって、作業員がクライアント装置５Ｂに表示されている表示情報に基づいて作業対象品目を決定するのが容易となる。従って、例えば、作業員による作業対象品目の誤決定により、クリーニング工場での電気料金の額が増大するのを防止することが可能となる。
【００９０】
又、第１実施形態では、第１決定支援情報Ｄ１２に決定支援情報の各情報が含まれていることについて説明したが、これに限定されるものではない。例えば、削減率を示す情報、電気料金を示す情報、仕上げ完了時間を示す情報、優先順位を示す情報のうちの少なくとも一の情報と、品目を示す情報と、消費電力量を示す情報とが、第１決定支援情報Ｄ１２に含まれていることとしてもよい。
【００９１】
又、第１実施形態では、第１表示情報の複数の組合せに決定支援情報の各情報が含まれていることについて説明したが、これに限定されるものではない。例えば、削減率を示す情報、電気料金を示す情報、仕上げ完了時間を示す情報、優先順位を示す情報のうちの少なくとも一の情報と、品目を示す情報と、消費電力量を示す情報とが、第１表示情報の複数の組合せに含まれていることとしてもよい。
【００９２】
又、第１実施形態では、クライアント装置５及び表示装置３４が表示情報を表示することについて説明したが、これに限定されるものではない。例えば、クライアント装置５及び表示装置３４の一方が表示情報を表示することとしてもよい。
【００９３】
又、第１実施形態では、第３工程Ｋ３での消費電力量及び電気料金を、演算部３７が演算することについて説明したが、これに限定されるものはない。例えば、第１工程Ｋ１と第２工程Ｋ２と第３工程Ｋ３との消費電力量の合計及び電気料金の合計を、演算部３７が演算することとしてもよい。
【００９４】
又、第１実施形態では、品目ナビゲーションシステム１００が衣類の洗濯等を行うクリーニング工場で用いられることについて説明したが、これに限定されるものではない。例えば、クリーニング工場が、食器の洗浄及び乾燥を行う工場であることとしてもよい。又、例えば、作業対象品目の切り替えが１日において複数回行われ、且つ、作業対象品目の切り替えによって工場でのＤＰ時間帯の消費電力量の値が変動する所定の工場において、品目ナビゲーションシステム１００が適用されることとしてもよい。
【００９５】
又、第１実施形態では、支援信号に基づいて第１及び第２表示情報がクライアント装置５に表示されることについて説明したが、これに限定されるものではない。例えば、通信線Ｌ１に対してプリンタ装置が接続されており、サーバ装置３から出力された支援信号に基づいて、当該プリンタ装置が第１決定支援情報Ｄ１２及び第２決定支援情報Ｄ１１に基づく情報を紙面にプリントすることとしてもよい。この場合、情報の確認を紙面により確実に行うことができる。更に、情報の履歴を紙面にて保管することが可能となる。
【００９６】
又、第３実施形態では、単位報酬量が一日において変動するように定められていることについて説明したが、これに限定されるものではない。例えば、単位報酬量が一日において一の量に固定されていることとしてもよい。
【符号の説明】
【００９７】
３、３Ｃ                    サーバ装置
４                          データベース
５、５Ｂ                    クライアント装置
３２                        通信装置
３６                        モデル作成部
３７、３７Ｃ                演算部
３８、３８Ｃ                決定支援情報作成部
１００、１００Ｂ、１００Ｃ  品目ナビゲーションシステム
【図１】
2015219574.tif 000003
【図２】
2015219574.tif 000004
【図３】
2015219574.tif 000005
【図４】
2015219574.tif 000006
【図５】
2015219574.tif 000007
【図６】
2015219574.tif 000008
【図７】
2015219574.tif 000009
【図８】
2015219574.tif 000010
【図９】
2015219574.tif 000011
【図１０】
2015219574.tif 000012
【図１１】
2015219574.tif 000013
【図１２】
2015219574.tif 000014